(57)【要約】【課題】構造が簡単で、機能性の向上が図れ、しかも、人形の毛の抜けや損傷を低減することが可能な人形用ブラシを提供すること。【解決手段】熱板を有するブラシ部を備え、前記ブラシ部によって人形の可逆熱変色性の毛をブラッシングしながら前記熱板の熱にて変色させる人形用ブラシにおいて、前記熱板の表面には、ブラッシング方向に延在し該ブラッシング方向に直交する方向に所定ピッチで溝を介して複数並設されて、前記毛をブラッシングするための櫛歯が形成されている。【選択図】図３
0003158356.tif 000002
【実用新案登録請求の範囲】
【請求項１】
熱板を有するブラシ部を備え、前記ブラシ部によって人形の可逆熱変色性の毛をブラッシングしながら前記熱板の熱にて変色させる人形用ブラシにおいて、前記熱板の表面には、ブラッシング方向に延在し該ブラッシング方向に直交する方向に所定ピッチで、両端が開放された溝を介して、複数並設されて前記毛をブラッシングするための櫛歯が形成されていることを特徴とする人形用ブラシ。
【請求項２】
前記溝は、ブラッシング方向に直交する断面が前記熱板の裏面に向けて膨らむように弧状となっていることを特徴とする請求項１に記載の人形用ブラシ。
【請求項３】
前記ブラシ部は、前記熱板の表面側に位置し人肌の接触を防止するカバー部材を備え、前記カバー部材は、前記ブラッシング方向に延在し該ブラッシング方向に直交する方向にスリットを介して所定ピッチで複数並設された棒状格子部材を有し、前記棒状格子部材によって前記熱板における前記櫛歯の表面を覆いつつ、且つ、前記スリットによって前記熱板における前記溝の表面を露出させるように構成されていることを特徴とする請求項１又は請求項２に記載の人形用ブラシ。
【請求項４】
前記熱板は、他の熱源によって加熱される熱伝導板、又は熱源である発熱体であることを特徴とする請求項１から請求項３のいずれか一項に記載の人形用ブラシ。
【請求項５】
前記熱板は熱伝導板であり、熱源であるペルチェ素子の各面に接するように前記熱板及び前記カバー部材の組が設けられていることを特徴とする請求項１から３のいずれか一項に記載の人形用ブラシ。
【考案の詳細な説明】
【技術分野】
【０００１】
本考案は、ブラシ部によって人形の可逆熱変色性の毛をブラッシングしながら熱板の熱にて変色させる人形用ブラシに関するものである。
【背景技術】
【０００２】
従来、人形用ブラシとして、可逆性熱変色材がブレンドされたポリオレフィン状成形体を動物人形の体毛として使用し、面状発熱体（熱板）を備えたブラシで毛をブラッシングすることによって加熱し、それによって毛を変色させる人形用ブラシが知られている（例えば、特許文献１）。
【先行技術文献】
【特許文献】
【０００３】
【特許文献１】特開２００４−３２１６６８号公報（図１２）
【考案の概要】
【考案が解決しようとする課題】
【０００４】
特許文献１に開示された人形用ブラシは、面状発熱体に多数の孔を穿設し、その孔に熱伝導体に立設させた棒状突起を挿通させて面状発熱体の表面から突出させている構造であることから、構造が複雑であり、その組付けも煩雑である。
また、人形の毛の材質は熱を伝えにくいため、それを加熱するには、面状発熱体に毛を密着させる必要がある。しかし、特許文献１に開示された人形用ブラシでは、面状発熱体は平面であるため、加熱部の面積が小さく、さらに、棒状突起が立設されていることにより、尚のこと毛が接触し得る加熱部の面積が小さくなり、人形用ブラシとしての機能性を損ねているという問題がある。
また、棒状の突起を縦横に多数設けているため、棒状突起に毛が絡まりやすく、ブラッシングしにくい。そして、突起に毛が絡んだ際に、むりやりブラッシングするとすれば、人形の毛が抜けたり、毛を損傷したりする虞がある。
【０００５】
本考案は、このような実情に鑑みてなされたもので、構造が簡単で、機能性の向上が図れ、しかも、人形の毛の抜けや損傷を低減することが可能な人形用ブラシを提供することにある。
【課題を解決するための手段】
【０００６】
請求項１の考案は、熱板を有するブラシ部を備え、前記ブラシ部によって人形の可逆熱変色性の毛をブラッシングしながら前記熱板の熱にて変色させる人形用ブラシにおいて、前記熱板の表面には、ブラッシング方向に延在し該ブラッシング方向に直交する方向に所定ピッチで、両端が開放された溝を介して、複数並設されて前記毛をブラッシングするための櫛歯が形成されていることを特徴とする人形用ブラシである。
【０００７】
請求項２の考案は、請求項１に記載の人形用ブラシにおいて、前記溝は、ブラッシング方向に直交する断面が前記熱板の裏面に向けて膨らむように弧状となっていることを特徴とする。
【０００８】
請求項３の考案は、請求項１又は請求項２に記載の人形用ブラシにおいて、前記ブラシ部は、前記熱板の表面側に位置し人肌の接触を防止するカバー部材を備え、前記カバー部材は、前記ブラッシング方向に延在し該ブラッシング方向に直交する方向にスリットを介して所定ピッチで複数並設された棒状格子部材を有し、前記棒状格子部材によって前記熱板における前記櫛歯の表面を覆いつつ、且つ、前記スリットによって前記熱板における前記溝の表面を露出させるように構成されていることを特徴とする。
【０００９】
請求項４の考案は、請求項１から請求項３のいずれか一項に記載の人形用ブラシにおいて、前記熱板は、他の熱源によって加熱される熱伝導板、又は熱源である発熱体であることを特徴とする。
【００１０】
請求項５の考案は、請求項１から３のいずれか一項に記載の人形用ブラシにおいて、前記熱板は熱伝導板であり、熱源であるペルチェ素子の各面に接するように前記熱板及び前記カバー部材の組が設けられていることを特徴とする。
【考案の効果】
【００１１】
請求項１の考案によれば、熱板の表面にブラッシング方向に延在する櫛歯を設けているので、人形の毛が熱板によって効果的にブラッシングされるとともに、熱板と人形の毛との間で熱交換がなされることになる。また、その熱交換は熱板の溝内で行われるため、熱板が平板である場合に比べて、熱板と人形の毛との接触面積が大きくなるので、効率的に熱交換が行えることになる。
また、熱板の表面にブラッシング方向に延在する櫛歯を設けているので、構造も簡単なものとなる。
【００１２】
請求項２の考案によれば、熱板の溝は断面が弧状となっているため、熱板の溝内面と人形の毛とが接触しやすくなるので、より効率的に熱交換が行えることになる。
【００１３】
請求項３の考案によれば、カバー部材によって、人肌が熱板へ接触するのが防止されることになる。
【００１４】
請求項４の考案によれば、熱板は、他の熱源によって加熱される熱伝導板、又は熱源である発熱体であるので、人形の毛を加熱により変色させることができる。
【００１５】
請求項５の考案によれば、一方の熱板で加熱又は冷却して熱変色させた髪の毛を、他方の熱板で冷却または加熱して元の色に戻すことができる。
【図面の簡単な説明】
【００１６】
【図１】本考案に係る人形用ブラシを備えた美髪用玩具セットを示した斜視図である。
【図２】図１の美髪用玩具セットの分解斜視図である。
【図３】図１の人形用ブラシを示した斜視図である。
【図４】図３の人形用ブラシの分解斜視図である。
【図５】図１の人形用ブラシにおける熱板加熱回路の構成図である。
【図６】図３におけるＶＩ−ＶＩ線断面図である。
【図７】図１における連客ケースの縦断面図である。
【図８】人形用ブラシの他の変形形態を概念的に示した側面図である。
【図９】人形用ブラシのさらに他の実施形態を概念的に示した断面図である。
【考案を実施するための形態】
【００１７】
以下に、本考案に係る人形用ブラシの実施形態を、図面を参照しながら説明する。
【００１８】
（美髪用玩具セット１００について）
図１には美髪用玩具セット１の外観が示されている。この美髪用玩具セット１は、図１及び図２に示すように、人形１０の髪の毛１１に熱を加えて変色させる人形用ブラシ２０と、人形用ブラシ２０を載置するためのブラシホルダ４４と、加熱変色された人形１０の髪の毛１１を元の色に戻す冷却用ケース４０とを備えている。
【００１９】
（人形１０について）
人形１０の髪の毛１１は、例えば、可逆性熱変色材がブレンドされたポリオレフィン樹脂のフィラメント状成形体によって形成されている。この場合の可逆性熱変色材としては、従来公知の電子供与性呈色性化合物と電子受容性顕色剤との組み合わせをベースとした熱変色成分が有効である。例えば、電子供与性発色剤、フェノール性水酸基を有する化合物及びそれらの金属塩・芳香族カルボン酸及び炭素数２〜５の脂肪族カルボン酸などの電子受容性顕色剤、アルコール類、エステル類、ケトン類、エーテル類等の変色温度調節剤からなる熱変色顔料を用いればよい。これらによれば、少なくとも常温〜８０℃程度の温度帯域で十分に可逆的に変色する。勿論、熱交換によって可逆的に色が変化するものであればこれに限定されない。
【００２０】
（人形用ブラシ２０について）
人形用ブラシ２０は図３に示すようにグリップ部Ａ及びブラシ部Ｂを備えている。人形用ブラシ２０は、図３及び図４に示すように、人形用ブラシ２０の裏側を画成する裏側ケース２１を備えている。裏側ケース２１の内面には、回路基板２２を収容するリブ枠２１ａが形成され、さらにリブ枠２１ａ内には、クッション材２３を収容するリブ枠２１ｂが形成されている。
【００２１】
回路基板２２には、熱板加熱回路の一部を構成するサーミスタ２４、トランジスタ２５及びヒューズ２６等の電子部品が、ホルダ２７を介して搭載されている。回路基板２２の中央部には、孔２２ａが形成されている。この回路基板２２はリブ枠２１ａ内に取り付けられる。一方、リブ枠２１ｂ内にはクッション材２３が収容されている。このクッション材２３は上記孔２２ａの箇所で回路基板２２を貫通し、さらに、ホルダ２７を貫通して、サーミスタ２４、トランジスタ２５及びヒューズ２６に接触しており、裏側ケース２１の押圧力によってそれらを熱板３１に押し付け密着させている。
【００２２】
また、リブ枠２１ａには、導線２８をリブ枠２１ａ内に導入するための切欠き２１ｃが形成されている。裏側ケース２１には、切欠き２１ｃが形成されている部分に、パッキン２９が設置されている。また、リブ枠２１ａの上面には環状のパッキン３０が設置されている。
パッキン３０の上には熱伝導板である熱板３１が設置されている。
さらに、熱板３１の表面側にはカバー部材３２が裏側ケース２１の先端部開口を覆い被さるようにして取り付けられている。
【００２３】
また、裏側ケース２１の基端部開口には、該開口を覆うようにしてグリップ部Ｂの表面ケース３３が取り付けられている。この表面ケース３３には、先端側に孔３３ａが形成され、その孔には、パイロットランプとなるＬＥＤ３４が嵌挿されている。
【００２４】
（電源及び熱板加熱回路）
人形用ブラシ２０は、電源であるバッテリＢＴ（図５参照）をグリップ部Ａに備えることが好ましいが、上記導線２９に接続されるコードによって外部電源を利用して熱板３１を加熱するように構成されていてもよい。
図５には、熱板３１を加熱する熱板加熱回路の一例が示されている。この熱板加熱回路においては、抵抗Ｒ１、Ｒ２、Ｒ３及びサーミスタ２４がブリッジ回路を構成し、その対辺の電位差をコンパレータＵによって検出している。コンパレータＵは−入力側の電位が＋入力側の電位より高い状態においてトランジスタ２５に電流を流し、トランジスタ２５が加熱される。熱板３１にはサーミスタ２４とトランジスタ２５とが密着しているので、トランジスタ２５の発熱によって熱板３１が加熱される。それに伴いサーミスタ２４も加熱されて抵抗値が小さくなり、やがてコンパレータＵの＋入力側の電位が−入力側の電位より高くなるため、トランジスタ２５の電流が遮断され、トランジスタ２５の加熱が止まることにより熱板３１の温度上昇が収まり一定の温度に保持されることになる。この場合の動作条件について説明すれば、ＲTH/Ｒ２＞Ｒ１／Ｒ３にてトランジスタ２５が通電状態となり、ＲTH/Ｒ２＜Ｒ１／Ｒ３にてトランジスタ２５が遮断状態となることである。なお、熱板３１をサーミスタ２４やトランジスタ２５で加熱する代わりに、ニクロム線によって熱板３１を加熱してもよい。
なお、図５においてＳＷはスイッチであり、バッテリＢＴがグリップ部Ａに設けられる場合にはスイッチＳＷは人形用ブラシ２０に設けられる。バッテリＢＴが外部に設けられる場合には、スイッチＳＷは外部に設けてもよいし、人形用ブラシ２０に設けてもよい。なお、図５においてヒューズ２６は省略してある。
【００２５】
（熱板３１及びカバー部材３２について）
ブラシ本体Ｂが備える熱板３１及びカバー部材３２は次のように構成されている。
【００２６】
熱板３１は熱伝導板であり、熱伝導性の良い金属（例えばアルミニウム）、又は熱伝導性フィラーを多量に配合した合成樹脂等によって形成されている。熱板３１の表面には、図４及び図６に示すように、ブラッシング方向に延在しブラッシング方向に直交する方向に所定ピッチで、両端が開放された溝３１ａを介して、複数並設された櫛歯３１ｂを備えている。溝３１ａは、ブラッシング方向に直交する断面が熱板３１の裏面側に膨らむように弧状に形成されている。
【００２７】
カバー部材３２は、図４に示すように、格子部３２１と、格子部３２１を支持する基枠３２２とを有している。
格子部３２１は、図４及び図５に示すように、ブラッシング方向に延在する棒状格子部材３２ａがブラッシング方向に直交する方向に所定ピッチでスリット３２ｂを介して複数並設されることによって構成されている。
このカバー部材３２においては、棒状格子部材３２ａで熱板３１の櫛歯３１ｂの表面を覆いつつ、且つ、スリット３２ｂで熱板３１の溝３１ａの表面を露出させるようになっている。この場合、棒状格子部材３２ａは、熱板３１の櫛歯３１ｂの歯先を構成することになる。したがって、ブラッシング方向に直交する断面で見た場合、棒状格子部材３２ａの外形線と熱板３１の溝３１ａの外形線とが連続していることが好ましい。
棒状格子部３２ａの上面は例えば波形となっていてもよい。要は、人肌が熱板３１に接触するのを防止できることである。
一方、基枠３２２は、棒状格子部材３２ａの両端を支持する支持部３２２ａ，３２２ａを有している。各支持部３２２ａには、ブラッシング方向の両側に亘って延在し、且つ、ブラッシング方向に直交する断面の外形線が裏面に向けて膨らむような弧状切欠き３２２ｂが形成されている。この弧状切欠き３２２ｂは、ブラッシング方向に直交する断面で見た場合、スリット３２ｂに対応する位置にある。この弧状切欠き３２２ｂは、ブラッシング方向に直交する断面で見た場合、上記熱板３１の溝３１ａの外形線と合致していることが好ましい。なお、基枠３２２は、該基枠３２２を裏側ケース２１にねじ止めするための取付部３２２ｃ，３２２ｃを有している。
【００２８】
（ブラシホルダ４４について）
ブラシホルダ４４は、図２に示すように、下部に台部４４ａを備え、該台部に背板４４ｂを備えている。そして、台部４４ａには、ブラシ２０の把持部を収容する孔４４ｃが形成され、背板４４ｂには、前方に向けてブラシ２０の上部を挟持する一対の舌片４４ｄが設けられている。このブラシホルダ４４は冷却用ケース４０と一体となっている。
【００２９】
（冷却用ケース４０について）
冷却用ケース４０は、ケース本体４１の前部に配設された人形収容部４２と、人形収容部４２の後方に配置される冷却タンク４３とを備えている。
【００３０】
人形収容部４２は、円筒状を成し、ケース本体４１に回転自在に配設されている。この人形収容部４２には、前部上方に開口４２ａが形成されており、両側壁には、人形１０を挟持するための舌片４２ｂが設けられている。
【００３１】
冷却タンク４３はＬ字状を成し、下部前面壁が半円筒状に凹んだ形となっている。そして、この冷却タンク４３の上部には、給排水孔４３ａが形成され、該給排水孔４３ａには蓋４３ｂが嵌着される。そして、この冷却タンクは、ケース本体４１の上部に形成された開口４１ａから挿入されてケース本体４１に装填される。この冷却タンク４３は、冷却水（例えば氷水）が入れられて使用される。
【００３２】
（美髪用玩具セット１００の使用方法）
人形用ブラシ２０を使用する場合には、ブラシホルダ４４から人形用ブラシ２０を取り出し、人形１０の髪の毛１１をブラッシングする。すると、人形１０の髪の毛は、カバー部材３２によってブラッシングされ、ブラッシング中に髪の毛１１は熱板３１に接触して加熱され、それによって変色する。その後に、人形用ブラシ２０を、ブラシホルダ４４の台部４４ａの孔４４ｃに把持部を収容させ、舌片４４ｄによって挟持させることによって、ブラシケース４４に装着して格納する。
【００３３】
一方、人形１０の髪の毛１１を直後に元に戻すには、図７に示すように、冷却用ケース４０を使用する。すなわち、髪の毛１１が加熱変色された人形１０を人形収容部４２に収容させ、舌片４２ｂによって挟持させる。そして、髪の毛１１を人形収容部４２の外に位置させた状態で、図６に示すように、髪の毛１１が冷却タンク４３に対向するように位置させる。すると、髪の毛１１は、冷却タンク４３内の冷却水によって冷却され、元の色に戻される。
【００３４】
（ブラシの変形例）
図８に示すブラシ５０は、上記実施形態のブラシ２０に当て板５１を付設し、アイロンブラシとして構成されている。このブラシ５０では、裏側ケース２１の基端に当て板５１を回動自在に設置している。そして、このブラシ５０では、ブラッシングの際に人形１０の髪の毛１１が当て板５１によって熱板３１に押し付けられる。したがって、髪の毛１１の変色効果を高めることができる。
【００３５】
（ブラシの他の変形例）
図９に示すブラシ６０は、熱源としてペルチェ素子６１を使用し、その両面に熱伝導板である熱板６２，６３を当接させ、それらの外面を覆うように上記実施の形態と同様なカバー部材６４，６５をそれぞれ配設している。このブラシ６０では、ペルチェ素子６１の一方の面に接触している熱板６２が加熱され、ペルチェ素子６１の他方の面に接触している熱板６３が冷却される。したがって、このブラシ６０によれば、一方の熱板６２によって人形１０の髪の毛１１が熱変色され、他方の熱板６４によって熱変色された髪の毛１１を元の状態に戻すことができる。
【００３６】
なお、上記実施の形態では、熱変色させる対象は例えば、動物人形等の他の形象玩具の毛であってもよい。
【００３７】
また、上記実施の形態では、熱源２４としてサーミスタ，ペルチェ素子等の発熱体を使用し、その熱源２４で発生した熱を熱板３１に伝達しているが、熱板３１自体を面状発熱体などの熱源としてもよい。
【符号の説明】
【００３８】
１０  人形
１１  髪の毛  
２０  ブラシ  
３１  熱板
３１ａ  棒状格子部材
３１ｂ  溝
３２  カバー部材
３２１  格子部
３２２  基枠
３２ｂ  スリット
【図１】
0003158356.tif 000003
【図２】
0003158356.tif 000004
【図３】
0003158356.tif 000005
【図４】
0003158356.tif 000006
【図５】
0003158356.tif 000007
【図６】
0003158356.tif 000008
【図７】
0003158356.tif 000009
【図８】
0003158356.tif 000010
【図９】
0003158356.tif 000011